(57)【要約】      （修正有）【課題】供給電力量を低減した環境にやさしい省エネルギーな往復切断工具を提供し、また、ライトと墨線が直線状に並んだときに刃物が墨線上を切断できるようにスリット形状ライトの案内を設け、作業性の良い、効率の良い往復切断工具を提供する。【解決手段】プランジャ７を磁化した部分が、発電機１２に内蔵されたコイル内側を往復運動できるように発電機を配置し、発電機１２とライト１０をリード線１４で配線し、配線の途中に交流を直流に変換する変換回路１１を設け、また、ハウジング１の上部の切断線上部とハウジングの前方の切断線上部にスリットを設け、この２箇所のスリットからライトを外部に照射させて２箇所のスリット形状ライト１６，１７と墨線が直線状に並んだときに刃物が墨線上を切断できるようにスリット形状ライトの案内を設ける。【選択図】図１
2012157930.tif 000002
【特許請求の範囲】
【請求項１】
電動機と、
該電動機を内蔵するハウジングと、
該ハウジング内に内蔵され、前記電動機の回転運動を往復運動に変換する往復変換機構部と、
前記ハウジングの外部に突出するように前記ハウジングに往復可能に保持され、切削材を切断する刃物を保持するプランジャと、
該プランジャの磁化した部分が往復運動し通過可能な形状の穴部を形成し、かつコイルを内蔵した発電機と該発電機により発電された電流で点灯出来るように接続されたライトを有する往復切断工具において、
切断作業を行う時に前記プランジャの往復運動により発電された電気によって被削材を自動照射するライト機構を設け、また、該ハウジングの上部の切断線上部と該ハウジングの前方の切断線上部にスリットを設け、この２箇所の前記スリットへライトから外部照射させ、該２箇所のスリットと墨線が直線状に並んだときに刃物が墨線上を切断できるようにしたことを特徴とする往復切断工具。
【請求項２】
前記プランジャにおいて、プランジャ自体を磁化せずに磁石を固定させたプランジャにより切断作業を行う時に前記プランジャの往復運動によって、発電された電気によって自動点灯するライト機構を設けたことを特徴とする請求項１記載の往復切断工具。
【請求項３】
該スリットから照射されるライトは、１箇所のみの配置、または２箇所以上設けることを特徴とする請求項１または請求項２のいずれか一項に記載の往復切断工具。
【発明の詳細な説明】
【技術分野】
【０００１】
本発明は、自動点灯/自動消灯する発電式ライト機構を備え、また、墨線の案内用のスリット形状ライトを備えた往復切断工具に関するものである。
【背景技術】
【０００２】
従来の往復切断工具の一例を図５、図６を用いて説明する。
【０００３】
図５、図６に示すように往復切断工具であるジグソーは、ハウジング１に電動機であるモータ２を内臓しており、ハウジング１の上方にはハンドル３が設けられており、ハンドル３にはスイッチ４を有している。また、ハウジング１にはモータ２の回転力を図示上下方向の往復動に変換するための往復変換機後部５が内蔵されており、往復変換機後部５には刃物６を保持するプランジャ７が取り付けられている。往復変換機後部５は、モータ２の回転を減速するため減速部５ａと、減速部５ａから伝達された回転をプランジャ７の往復動に変換する変換部５ｂから構成されており、ホルダ８によってハウジング１に支持されている。
【０００４】
また、ハウジング１の前方には切断作業時に刃先を照らせられるようにライト１０が取り付けられている。このライト１０はスイッチ４からリード線１４により配線されておりライト１０の電源は屋内外の電源コンセントより供給されている。また、屋内外の交流電源を直流電源に変換するためライト１０の所には変換回路１１が内蔵されている。
【先行技術文献】
【特許文献】
【０００５】
【特許文献１】特開２００８−１８８７０９
【発明の概要】
【発明が解決しようとする課題】
【０００６】
かかる構造では、ライト１０の電力は常に屋内外の電源コンセントより供給しているためライト１０の電力分とモータ２の動力分の両方の電力を屋内外から供給しており電力消費量の多い環境的に良くない製品であるという問題があった。また、ジグソー切断時に墨線１５と刃物６を一致させながら切断作業を行うことは、本体および刃物６を常に墨線１５に対して墨線１５上に真っ直ぐにさせながら切断作業を行わなければならず、少しでも本体が墨線１５より傾いてしまうと墨線１５より外れて切断してしまい、大変な神経と多大な労力を費やしていた問題があった。
【０００７】
本発明の目的は、供給電力量を低減し、かつ墨線上を精度よく切断可能な往復切断工具を提供することである。
【課題を解決するための手段】
【０００８】
上記の課題を解決するために本願発明は、電動機と、該電動機を内蔵するハウジングと、該ハウジング内に内蔵され、前記電動機の回転運動を往復運動に変換する往復変換機構部と、前記ハウジングの外部に突出するように前記ハウジングに往復可能に保持され、切削材を切断する刃物を保持するプランジャと、該プランジャの磁化した部分が往復運動し通過可能な形状の穴部を形成し、かつコイルを内蔵した発電機と該発電機により発電された電流で点灯出来るように接続されたライトを有する往復切断工具において、切断作業を行う時に前記プランジャの往復運動により発電された電気によって被削材を自動照射するライト機構を設け、また、該ハウジングの上部の切断線上部と該ハウジングの前方の切断線上部にスリットを設け、この２箇所の前記スリットへライトから外部照射させ、該２箇所のスリットと墨線が直線状に並んだときに刃物が墨線上を切断できるようにした往復切断工具を提供している。
【０００９】
また、前記プランジャにおいて、プランジャ自体を磁化せずに磁石を固定させたプランジャにより切断作業を行う時に前記プランジャの往復運動によって、発電された電気によって自動点灯するライト機構を設けることが好ましい。
【００１０】
また、該スリットから照射されるライトは、１箇所のみの配置、または２箇所以上設けることが好ましい。
【発明の効果】
【００１１】
本発明によれば、プランジャを磁化した部分が、発電機に内臓されたコイル内側を往復運動することにより発電機に電気を発生させ、その発電した電気によってライトを自動点灯させることにより供給電力量を低減した環境にやさしい省エネルギーな往復切断工具を提供することができる。また、スリット形状ライト(１)およびスリット形状ライト（２）と墨線が直線状に並んだときに刃物が墨線上を切断できるようにスリット形状ライトの案内を設けているので墨線上を容易に切断することが可能となり、作業性の良い、効率の良い往復切断工具を提供することができる。
【図面の簡単な説明】
【００１２】
【図１】本発明の往復切断工具の一実施形態を示す側面図
【図２】本発明の往復切断工具の一実施形態を示す正面図
【図３】本発明の往復切断工具の一実施形態を示す上面図
【図４】本発明の往復切断工具の発電機を示す要部Ａ−Ａ断面図
【図５】従来の往復切断工具の一実施形態を示す側面図
【図６】従来の往復切断工具の一実施形態を示す正面図
【発明を実施するための形態】
【００１３】
以下、実施例図面（図１〜図４）を参照して本発明を説明する。
【００１４】
図１は本発明となる往復切断工具の一実施形態を示す側面図。図２は本発明となる往復切断工具の一実施形態を示す正面図。図３は本発明となる往復切断工具の一実施形態を示す上面図。図４は本発明となる往復切断工具の発電機を示す要部一部断面図Ａ−Ａである。
【００１５】
図１、図２、図３において、ハウジング１に電動機であるモータ２を内臓しており、ハウジング１の上方にはハンドル３が設けられており、ハンドル３にはスイッチ４を有している。また、ハウジング１にはモータ２の回転力を図示上下方向の往復動に変換するための往復変換機後部５が内蔵されており、往復変換機後部５には刃物６を保持するプランジャ７が取り付けられている。往復変換機後部５は、モータ２の回転を減速するため減速部５ａと、減速部５ａから伝達された回転をプランジャ７の往復動に変換する変換部５ｂから構成されており、ホルダ８によってハウジング１に支持されている。
【００１６】
また、ハウジング１の前方には切断作業時に刃先を照らせられるようにライト１０が取り付けられている。このライト１０はプランジャ７の磁化した部分が上下運動し通過可能なように、穴部を形成してコイルを内蔵した図４に示す発電機１２により発電された電流で点灯出来るようにリード線１４で配線されている。また、リード線１４の途中には発電機１２により発電された交流電流を直流電流に変換するための変換回路１１が内臓されている。また、ハウジング１の上部の切断線上部１８とハウジング１の前方の切断線上部１８にスリットを設け、この２箇所のスリットから発電機１２により発電するライトを外部に照射させてスリット形状ライト(１)１６およびスリット形状ライト(２)１７と墨線１５が直線状に並んだときに刃物６が墨線１５上を切断できるようにスリット形状ライトの案内を設けている。このときハウジング１の前方の切断線上部１８に設けたスリットに使用するライトは、切断作業時に刃先を照らせられるように設けたライト１０と共通でかまわない。更に、ハウジング１の下方には切断作業時の案内部材となるベース９が取り付けられている。
以上のように構成された往復切断工具を用いる事により、作業者が切断作業時にスイッチ４を入れるとプランジャ７の磁化部が発電機１２内に内蔵されたコイル13の内側を往復運動することにより発電機１２により発電された電流でライト１０、スリット形状ライト（1）１６、スリット形状ライト（2）１７が自動点灯する。また、スイッチ４を切ることにより発電機１２の発電もしなくなりライト１０、スリット形状ライト（1）１６、スリット形状ライト（2）１７が自動消灯する。このような構造により屋内外から供給する電力は電動機２だけでよく、ライト１０、スリット形状ライト（１）１６、スリット形状ライト（２）１７の電力を屋内外から供給しなくとも良い供給電力量を低減した環境にやさしい省エネルギーの製品を提供することが出来る。また、スリット形状ライト(１)１６およびスリット形状ライト（２）１７と墨線１５が直線状に並んだときに刃物６が墨線１５上を切断できるようにスリット形状ライトの案内を設けているので墨線上を容易に切断することが可能となり、作業性の良い、効率の良い往復切断工具を提供することができる。また、プランジャ７は磁化させる以外に、磁石をプランジャ７に固定させることによっても達成することが出来る。また、スリット形状ライトは、２箇所以上が望ましいが１箇所のみの配置、または２箇所以上設けてあっても本効果を達成することが出来る。また、スリット形状ライトは、スリット形状でない形状でも本効果を達成することが出来る。
【符号の説明】
【００１７】
１はハウジング、２は電動機(モータ)、３はハンドル、４はスイッチ、５は往復変換機構部、５ａは減速部、５ｂは変速部、６は刃物、７はプランジャ、８はホルダ、９はベース、１０はライト、１１は変換回路、１２は発電機、１３はコイル、１４はリード線、１５は墨線、１６はスリット形状ライト(1)、１７はスリット形状ライト(2)、１８は切断線上部、１９は加工部材である。
【図１】
2012157930.tif 000003
【図２】
2012157930.tif 000004
【図３】
2012157930.tif 000005
【図４】
2012157930.tif 000006
【図５】
2012157930.tif 000007
【図６】
2012157930.tif 000008